(57)【要約】【課題】  家具または器具の走行ローラの操縦性を改善する。【解決手段】  本発明は、軸（９）および軸（９）上を回転運動するように取り付けられた車輪（１０）を備えた、家具または器具の走行ローラ（８）に関するもので、軸（９）は延長方向を有している。話題とする種類の走行ローラを、このような走行ローラを備えた家具または器具の部品の有利な操作性を達成するよう改善するため、軸（９）上の車輪（１０）が軸（９）の延長方向に、車輪（１０）が軸（９）の上で車輪（１０）の幅（ｂ）の半分以上に相当する量だけ軸（９）の延長方向に移動するように配置することを提案している。【選択図】  図５
2007520294.tif 000002
【特許請求の範囲】
【請求項１】
延長方向を有している軸（９）および軸（９）上を回転運動するように取り付けられた車輪（１０）を有する家具または器具の走行ローラ（８）において、
軸（９）上の車輪（１０）が軸（９）の延長方向に、車輪（１０）が軸（９）の上で車輪（１０）の幅（ｂ）の半分以上に相当する量だけ軸（９）の延長方向に移動するように配置されることを特徴とする走行ローラ。
【請求項２】
特に、軸（９）が延長方向に湾曲していることを特徴とする請求項１に記載する走行ローラ。
【請求項３】
特に、軸（９）が円弧上に湾曲していることを特徴とする請求項１または２の何れかに記載する走行ローラ。
【請求項４】
特に、車輪（１０）が軸（９）上の優先位置にばねにより押し付けられていることを特徴とする請求項１ないし３の何れかに記載する走行ローラ。
【請求項５】
特に、車輪（１０）が優先位置から両側の軸（９）の延長方向に、少なくとも車輪（１０）の幅（ｂ）の半分の量だけ移動することができることを特徴とする請求項１ないし４の何れかに記載する走行ローラ。
【請求項６】
特に、車輪（１０）がハブ部分（１５）で直接軸（９）に取り付けられることを特徴とする請求項１ないし５の何れかに記載する走行ローラ。
【請求項７】
特に、湾曲した軸が２０°ないし１８０°の角度範囲（α）にわたって延長されていることを特徴とする請求項１ないし６の何れかに記載する走行ローラ。
【請求項８】
特に、軸の自由長さが車輪（１０）の幅（ｂ）の２倍以上に相当することを特徴とする請求項１ないし７の何れかに記載する走行ローラ。
【請求項９】
特に、軸の自由長さが車輪（１０）の幅（ｂ）の２０倍までに相当することを特徴とする請求項１ないし８の何れかに記載する走行ローラ。
【請求項１０】
回転運動するように軸（９）に取り付けられた車輪（１０）を含む走行ローラ（８）を備え、軸（９）は延長方向を有する家具または器具の部品（３）において、
軸（９）上の車輪（１０）が軸（９）の延長方向に、車輪（１０）が軸（９）の上で車輪（１０）の幅（ｂ）の半分以上に相当する量だけ軸（９）の延長方向に移動するように配置されることを特徴とする家具または器具の部品。
【請求項１１】
特に、家具または器具の部品（３）が進行方向（ｒ）  に先ず支持ローラ（７）を、続いて軸（９）上を移動する車輪（１０）を備えた走行ローラ（８）を有することを特徴とする請求項１０に記載する家具または器具の部品。
【請求項１２】
特に、２つの支持ローラ（７）が軸方向に互いに離れて設けられ、移動する車輪（１０）を有する２つの走行ローラ（８）が同じような方法で互いに離れ、支持ローラ（７）および走行ローラ（８）は進行方向（ｒ）に離れていることを特徴とする請求項１０または１１の何れかに記載する家具または器具の部品。
【請求項１３】
特に、軸（９）上を移動する車輪（１０）は、軸の延長方向に湾曲した軸（９）上を移動することができることを特徴とする請求項１０ないし１２の何れかに記載する家具または器具の部品。
【請求項１４】
特に、軸（９）の湾曲は進行方向（ｒ）の反対方向に行われることを特徴とする請求項１０ないし１３の何れかに記載する家具または器具の部品。
【発明の詳細な説明】
【技術分野】
【０００１】
本発明は、軸および軸上を回転運動するように取り付けられた車輪を備えた家具または器具の走行ローラに関するもので、軸は延長方向を有している。
【背景技術】
【０００２】
話題とする種類の走行ローラは既知であり、例えば可動式の家具、ローラ付き容器など、およびさらに移動することができる器具、特に掃除機の床作業を行う床ノズルの範囲および／または使用者が引っ張って使用する転がり移動できる掃除用床器具の作業範囲に使用されている。
【発明の開示】
【発明が解決しようとする課題】
【０００３】
上述の従来の技術に関連して、本発明はこのような走行ローラを備えた家具または器具の部品における話題とする種類の走行ローラを、さらに有利な操作性を達成するように改善するという問題点に着目した。
【課題を解決するための手段】
【０００４】
この問題点は先ず本質的に請求項１の対象物によって解決され、軸上の車輪を、車輪の幅の半分以上に相当する量だけ軸の延長方向に移動できるように配置することに重点を置いている。このような構成によって、構造的に簡単な方法で使用者による操縦移動が容易になるローラが得られる。車輪は軸の延長方向に沿って移動できるので、走行ローラに作用する操縦力は車輪の軸方向の変位によって置き換えられる。この場合操縦半径にとって、軸方向に測定した厚さで少なくとも車輪の半分の幅に相当する、軸方向の移動できる寸法が重要である。車輪の両側の変位距離は車輪の幅の数倍であることが好ましく、例えば１ないし５倍である。さらに軸上に隣り合って配置される多数の車輪を回転運動できるように取り付け、操縦動作の影響に対応して取り付けられた軸に沿って移動するようにすることも可能である。本発明による構成によって、軸上を移動することができない走行ローラと較べて、走行ローラおよび床の間の摩擦力は明らかに使用者に対して低減される。この効果をさらに高めるため軸を延長方向に湾曲させ、好ましくは円弧状に湾曲させる好ましい構成が考えられ、このように形成した走行ローラの操縦性およびそれに伴って同時に生ずる床に対する摩擦抵抗の変化がさらに向上される。軸に取り付けられた車輪が直線状の移動時に自動的に湾曲した軸の中央位置を占めるよう、湾曲は走行ローラの普通の進行方向の反対方向とし、車輪に加わる操縦力によって横方向に軸に沿って移動するようにすることが好ましい。走行ローラの直線移動性をさらに向上させるため、本発明の対象物を車輪が軸上の優先位置にばねにより押し付けられるようにさらに改善する。さらにこの優先位置は、走行ローラが操縦的な優先位置を占めることができるよう、軸上の別の位置でもよい。これに関連して、車輪が優先位置から軸の延長方向の両側に、少なくとも車輪の半分の幅だけ移動できるようにすることを提案する。車輪はハブの部分で直接軸に取り付けられる。代わりに車輪をボールまたはローラ軸受を介して軸に取り付ける配置を選択することもできる。湾曲した軸の構成の場合、軸を２０°ないし１８０°の角度範囲に延長させ、好ましくは約９０°の角度範囲とし、従って軸に取り付けられた車輪は、好都合に中央の優先位置から両側に約４５°、軸の延長方向に沿って移動することができる。この場合軸の自由長さを車輪の幅の２倍以上とすると好都合で、更にこの自由長さを車輪の幅の２０倍に相当するまでとする。結局自由長さは車輪幅の約６倍が好ましい。
【０００５】
本発明は、更に回転運動するように軸に取り付けられた車輪を含む走行ローラを有する家具または器具の部品に関するもので、軸は延長方向を有している。このような家具または器具の部品を、特に移動させる場合の操作性を改善するため、軸上の車輪が車輪の幅の半分以上に相当する量だけ軸の延長方向に移動することができるよう、軸上の車輪を軸の延長方向に移動するよう配置することを提案する。このような構成により走行ローラによって簡単な方法で操縦できる家具または器具の部品が得られる。選定した走行ローラの構成によって、部品および床の間の操縦時の摩擦力が最小限に低減されるので、使用者はこれによって部品のすべり移動が楽になる。操縦力の影響に対応して、車輪は軸に沿って移動し、家具または器具の部品の力が作用する点との共同作業によって自動的に操縦が行われる。１つの車輪の軸へ取り付けと並んで、多くの車輪が隣り合って軸に取り付けられる配置も考えられる。好ましい構成として、家具または器具の部品が進行方向または優先進行方向に、最初に支持ローラを設け続いて軸上を移動できる車輪を備えた走行ローラを設ける構成が考えられる。これによって普通の進行方向の前方の範囲を操縦できるように形成した部品が得られる。後方に配置された支持ローラは直線移動の安定化に役立つ。選択された配置は普通の家庭掃除機の床ノズルに設けることができ、器具の柄によって床を作業する床ノズルが移動し、この場合使用者が床ノズルを器具の柄によって前方に押すと好都合である。操縦の際の摩擦力を低減するため、本発明による解決策は、優先方向すなわち滑り方向の床ノズル部分の前方に、本発明による軸上を移動する車輪を有する操縦ローラを使用する。好ましい構成において、２つの支持ローラが軸方向に互いに離れて設けられ、移動する車輪を有する２つの走行ローラが同様な方法で互いに離れて設けられ、支持ローラおよび走行ローラは進行方向に離れている。このように構成により、２つの支持ローラおよび２つの操縦ローラから形成される家具または器具の部品の４点支持が得られ、すでに述べたように操縦ローラは、家具または器具の部品の正面側の範囲の優先進行方向に配置し、支持ローラの範囲の部品に加わる力または操縦力の影響は支持ローラの範囲、さらに互いに離れて配置された支持ローラの間に加わることが好ましい。軸上を移動する車輪は延長方向に湾曲した軸上を移動できるようにすると特に有利で、これによって車輪は自動的に軸上の優先位置を占め、その優先位置は両側からばねにより押し付けられる軸上の車輪が自動的に見出すことができる。最後に軸の湾曲は進行方向の反対側、好ましくは普通の進行方向の反対側とすることを提案する。普通の進行方向は例えば掃除機では前方で、使用者は掃除機を床ノズルとともに前方に押し出す。
【０００６】
以下本発明を、多くの実施例のみを描写した添付図面によって詳細に説明する。
【０００７】
操縦性の優れた家具または器具の走行ローラが得られる。
【発明を実施するための最良の形態】
【０００８】
先ず図１に関し、案内柄２および掃除機１に流体的および電気的に接続可能な器具の部品３を形成する附属器具４を備えた家庭用掃除機１を図示し説明する。
【０００９】
附属器具４または器具部品３は床ノズルとして形成され、普通の進行方向ｒに対して横向きの向いた普通の形状の吸い込みダクト５を有し、その中に電気モータで駆動される床作業ブラシ６が配置される。
【００１０】
本発明による器具部品３は、４個のローラによって作業する床に支えられ、進行方向ｒの後側の掃除機１への接続範囲に相当する範囲には、軸方向に互いに離れて配置される２つの支持ローラ７が設けられる。この支持ローラ７は案内柄２の作用範囲に直接配置される。
【００１１】
さらに普通の進行方向ｒ（普通の進行方向ｒは押し出し方向に相当し、掃除機の使用者が案内柄２によって押し出す）の器具部品３の正面側の近くにさらに２個のローラが配置され、器具の走行ローラ８として操縦ローラの形態に形成される。これらも進行方向の横方向に互いに離れている。この器具の走行ローラ８の配置は、吸引ダクト５の支持ローラ７から離れた側に配置するように選定することができる。しかし、器具の走行ローラ８の配置を図１１に示すように、吸引ダクト５の前方の普通の移動方向ｒにおいて吸引ダクト５の前、すなわち支持ローラ７から見て吸引ダクト側に配置することも考えられる。
【００１２】
操縦ローラとして形成される器具の走行ローラ８の構成は、図示されたものと異なってもよい。
【００１３】
図２および３による第１の実施態様において、２個の器具走行ローラ８が器具の正面側に設けられ、それぞれの走行ローラ８は直線の支えローラ軸と平行な、普通の進行方向ｒの横に向いた軸９に回転運動できるように取り付けられた車輪１０を備えている。車輪１０は器具の底を、軸９の方向を調整して取り付け、軸方向に測定した幅は車輪１０が軸上で軸方向に移動できる寸法に決められた車輪窓１２の部分で貫通する。車輪１０は軸９の延長方向に、車輪１０の幅ｂの約４倍の移動ができるように窓の幅が設けられる。  
【００１４】
図４に示すように、代替案として車輪１０が軸９上の優先位置にばねにより押し付けられるようにすることもできる。このため車輪１０の両側に片側が車輪１０に反対側が器具のケースに支えられる軸９を取り巻く圧縮ばね１３を設ける。これによって車輪１０は図４に示されるように中央の優先位置にばねにより押し付けられる。
【００１５】
案内柄２によって操作される附属器具４の回転移動の場合、車輪１０は対応して圧縮ばね１３のばね力に抗して軸９に沿って変位し、器具４の床上での回転を支援する。車輪１０および床の間の滑りはこれによって最小限に低減され、使用者の操作力の小さくするように働く。
【００１６】
代替的な構成を図５ないし９に示す。ここでは器具の走行ローラ８の車輪１０は円弧状に湾曲した軸９に回転運動するように取り付けられ、軸９の湾曲は普通の進行方向ｒの反対方向に行われる。器具の底１１の車輪１０が貫通する車輪窓１２は、湾曲に対応し軸９の延長寸法に適合させ、さらに湾曲した軸９は約９０°の角度範囲αにわたって伸びる。
【００１７】
軸９は個別の実施態様と無関係に、両側の端部が器具ケース側の軸取り付け部１４に取り付けられる。
【００１８】
図示した実施例に対応する車輪１０の自由な移動のための軸９の自由長さは、車輪幅ｂの約７倍である。
【００１９】
軸９の湾曲した構成により車輪１０は図５に示されるように中央の優先位置を占め、操縦の場合車輪１０はこの優先位置から移動する。
【００２０】
進行方向ｒへの直線的な前進の場合、車輪１０は優先的な中央位置で回転する傾向がある。左側に操縦されると（図８参照）、車輪１０は軸９上を右側に移動し、軸９に強制されて自動的に希望する移動方向に向きを変える。車輪１０はそれぞれの軸９上で右側に移動し、器具部品３が進行する円弧軌跡を描く。右側への操縦移動の場合は（図９参照）状況を反映する。
【００２１】
図示した実施例において、それぞれの車輪１０はハブの部分１５が直接軸９に支えられる。しかしハブの部分１５にボールまたはローラ軸受を配置することも考えられる。
【００２２】
さらにそれぞれの車輪１０の中心穴１６が、軸９に挿入するため湾曲半径に適合していることが重要である。湾曲した軸９の湾曲半径が小さい程、車輪１０の中心穴１６は軸の直径に比較して大きくなる。さらに中心穴直径１６は、車輪１０の幅ｂに依存して大きくなる。
【００２３】
さらに湾曲した軸９の湾曲半径は重要である。掃除機１の一定の操縦角において、小さな湾曲半径の場合操縦される器具の走行ローラ８が移動する曲線の半径は小さくなる。
【００２４】
また湾曲した軸９上を移動するように配置された車輪１０を有する器具の走行ローラ８は、車輪１０の両側に配置される圧縮ばね１３を設け、車輪１０を中央の優先位置を占めるようにすることもできる。このような解決法を図１０に示す。このような構成により、器具の部品３の普通の進行方向と反対方向の戻し移動において、車輪１０が中央の優先位置へ戻る移動が生じる。この構成によって、普通の進行方向ｒおよび逆の進行方向において直線的な移動が確実に行われる。
【００２５】
この場合、圧縮ばね１３は前方すなわち普通の進行方向ｒへの普通の操縦移動が、車輪１０の移動によって短時間で行われるように選定される。
【００２６】
図１１は図５ないし９の実施態様による器具の走行ローラ８を備えたさらに別の実施態様を示し、ここでは走行ローラが普通の進行方向ｒにおいての吸引ダクト５前方に配置される構成を選択した。
【００２７】
最後に代替的な構成として、特に正面側の操縦範囲を好ましくは器具の部分３の幅方向の広がりの中央に配置した、１つだけの器具の走行ローラ８による構成も考えられる。
【００２８】
開示されたすべての特徴は本発明に対し基本的なものである。従って、対応する／添付の優先書類（事前出願のコピー）の開示もまたすべて本出願の開示内に含まれるものであり、その目的のためこれらの書類の特徴もこの出願の請求事項に含まれるものである。
【００２９】
操縦性の優れた家具または器具の走行ローラとして利用できる。
【図面の簡単な説明】
【００３０】
【図１】本発明による手押し掃除機の形状の器具部品で、本発明による器具走行ローラを備えた付属器具が設けられている。
【図２】第１の実施態様による器具走行ローラを有する付属器具の下面図である。
【図３】図２のＩＩＩの部分の拡大図である。
【図４】図３に相当する図であるが、第２の実施態様に関するものである。
【図５】第３の実施態様による器具走行ローラを有する付属器具の下面図である。
【図６】図５の線ＶＩ−ＶＩによる断面である。
【図７】図５のＶＩＩの部分を部分的に断面とした拡大図である。
【図８】器具の走行ローラの範囲の断面の俯瞰図で、器具が左側に向いて移動操縦された場合の走行ローラの移動に関するものである。
【図９】図８に対応する図であるが、右側に向いて移動操縦された場合である。
【図１０】図５に相当する下面図であるが、本発明による器具走行ローラのさらに別の実施態様に関するものである。
【図１１】図５の実施態様による器具走行ローラの代替配置を有するさらに別の附属器具の下面図である。
【図１】
2007520294.tif 000003
【図２】
2007520294.tif 000004
【図３】
2007520294.tif 000005
【図４】
2007520294.tif 000006
【図５】
2007520294.tif 000007
【図６】
2007520294.tif 000008
【図７】
2007520294.tif 000009
【図８】
2007520294.tif 000010
【図９】
2007520294.tif 000011
【図１０】
2007520294.tif 000012
【図１１】
2007520294.tif 000013
【手続補正書】
【提出日】平成17年9月2日(2005.9.2)
【手続補正１】
【補正対象書類名】特許請求の範囲
【補正対象項目名】全文
【補正方法】変更
【補正の内容】
【特許請求の範囲】
【請求項１】
延長方向を有している軸（９）および軸（９）上を回転運動するように取り付けられた車輪（１０）を有する家具または器具の走行ローラ（８）において、
軸（９）上の車輪（１０）が軸（９）の延長方向に、車輪（１０）が軸（９）の上で車輪（１０）の幅（ｂ）の半分以上に相当する量だけ軸（９）の延長方向に移動するように配置され、かつ車輪（１０）が軸（９）の優先位置にばねにより押し付けられていることを特徴とする走行ローラ。
【請求項２】
軸（９）が延長方向に湾曲していることを特徴とする請求項１に記載する走行ローラ。
【請求項３】
軸（９）が円弧上に湾曲していることを特徴とする請求項２に記載する走行ローラ。
【請求項４】
車輪（１０）が優先位置から両側の軸（９）の延長方向に、少なくとも車輪（１０）の幅（ｂ）の半分の量だけ移動することができることを特徴とする請求項１ないし３の何れかに記載する走行ローラ
【請求項５】
車輪（１０）がハブ部分（１５）で直接軸（９）に取り付けられることを特徴とする請求項１ないし４の何れかに記載する走行ローラ。
【請求項６】
湾曲した軸が２０°ないし１８０°の角度範囲（α）にわたって延長されていることを特徴とする請求項２ないし５の何れかに記載する走行ローラ。
【請求項７】
軸の自由長さが車輪（１０）の幅（ｂ）の２倍以上に相当することを特徴とする請求項１ないし６の何れかに記載する走行ローラ。
【請求項８】
軸の自由長さが車輪（１０）の幅（ｂ）の２０倍までに相当することを特徴とする請求項１ないし６の何れかに記載する走行ローラ。
【請求項９】
回転運動するように軸（９）に取り付けられた車輪（１０）を含む走行ローラ（８）を備え、軸（９）は延長方向を有する床ノズルとして形成された掃除機の附属器具において、
軸（９）上の車輪（１０）が軸（９）の延長方向に、車輪（１０）が軸（９）の上で車輪（１０）の幅（ｂ）の半分以上に相当する量だけ軸（９）の延長方向に移動することができ、かつ附属器具は進行方向（ｒ）に先ず支持ローラ（７）を備え、車輪は軸（９）上の優先位置に押し付けられるか、または円弧状に湾曲した軸（９）上で回転運動するように取り付けられ、軸（９）の湾曲は普通の進行方向（ｒ）と反対方向に行われることを特徴とする掃除機の附属器具。  
【請求項１０】
２つの支持ローラ（７）が軸方向に互いに離れて設けられ、移動する車輪（１０）を有する２つの走行ローラ（８）が同じような方法で互いに離れ、支持ローラ（７）および走行ローラ（８）は進行方向（ｒ）に離れていることを特徴とする請求項９に記載する掃除機の附属器具。
【手続補正２】
【補正対象書類名】明細書
【補正対象項目名】０００１
【補正方法】変更
【補正の内容】
【０００１】
本発明は、先ず請求項１の上位概念の特徴よる家具または器具の走行ローラに関するものである。
【手続補正３】
【補正対象書類名】明細書
【補正対象項目名】０００２
【補正方法】変更
【補正の内容】
【０００２】
話題とする種類の走行ローラは既知であり、例えば可動式の家具、ローラ付き容器など、およびさらに移動することができる器具、特に掃除機の床作業を行う床ノズルの範囲および／または使用者が引っ張って使用する転がり移動できる掃除用床器具の作業範囲に使用されている。
【手続補正４】
【補正対象書類名】明細書
【補正対象項目名】０００３
【補正方法】変更
【補正の内容】
【０００３】
ＤＥ３１５０４５２Ａ１によって、車輪が湾曲した軸に軸の延長方向に対象物の方向転換移動を実施するため走行ローラに取り付けられ、共に移動することができる走行ローラは既知である。
【手続補正５】
【補正対象書類名】明細書
【補正対象項目名】０００４
【補正方法】変更
【補正の内容】
【０００４】
この点から出発して、本発明は話題とする種類の走行ローラを、このようなローラを備えた家具または器具の有利な操作性を達成するように改善するという課題を設定した。
【手続補正６】
【補正対象書類名】明細書
【補正対象項目名】０００５
【補正方法】変更
【補正の内容】
【０００５】
この課題は請求項１の対象物によって解決され、車輪は軸上の優先位置にばねで押し付けられることに重点を置いている。車輪は軸の延長方向に沿って移動できるので、走行ローラに作用する操縦力は車輪の軸方向の変位によって置き換えられる。この場合操縦半径にとって、軸方向に測定した厚さで少なくとも車輪の半分の幅に相当する、軸方向の移動できる寸法が重要である。優先位置へのばねによる押し付けは、旋回の能力を損なうことなく直線走行性能の改善を可能とする。
【手続補正７】
【補正対象書類名】明細書
【補正対象項目名】０００６
【補正方法】変更
【補正の内容】
【０００６】
本発明は、さらに請求項９の上位概念の特徴よる掃除機の附属器具に関するものである。
このような附属器具は例えばＵＳ５５００９７９Ａ１によって既知である。操縦性能を改善するため、ここでは垂直軸に偏心して配置されこの垂直軸の周りを旋回できる走行ローラが設けられる。しかし、これは種々の観点から希望する走行性能が得られていない。
【手続補正８】
【補正対象書類名】明細書
【補正対象項目名】０００７
【補正方法】変更
【補正の内容】
【０００７】
この点から出発して、本発明は旋回に関し優れた特性を有する掃除機の附属器具を提示するという課題を設定した。
この課題は請求項９の対象物によって解決され、軸上の車輪を、車輪の幅の半分以上に相当する量だけ軸の延長方向に移動でき、かつ附属器具は走行方向に最初に支持ローラを設け、ここで車輪は優先位置に押し付けられるかまたは円弧状に湾曲した軸に回転運動するよう取り付けられ、軸の湾曲は普通の進行方向の逆方向に実施することに重点を置いている。車輪の両側の変位距離は車輪の幅の数倍で、例えば１ないし５倍である。さらに軸上に隣り合って配置される多数の車輪を回転運動できるように取り付け、操縦動作の影響に対応して取り付けられた軸に沿って移動するようにすることも可能である。本発明による構成によって、軸上を移動することができない走行ローラと較べて、走行ローラおよび床の間の摩擦力は明らかに使用者に対して低減される。この効果をさらに高めるため軸を延長方向に湾曲させ、好ましくは円弧状に湾曲させ，このように形成した走行ローラの操縦性およびそれに伴って同時に生ずる床に対する摩擦抵抗の変化をさらに向上させる。軸に取り付けられた車輪が直線状の移動時に自動的に湾曲した軸の中央位置を占めるよう、湾曲は走行ローラの普通の進行方向の反対方向とし、車輪に加わる操縦力によって横方向に軸に沿って移動するようにする。説明した優先位置は、さらに走行ローラが操縦的な優先位置を占めることができるよう、軸上の別の位置でもよい。これに関連して、車輪が優先位置から軸の延長方向の両側に、少なくとも車輪の半分の幅だけ移動できるようにすることを提案する。車輪はハブの部分で直接軸に取り付けられる。代わりに車輪をボールまたはローラ軸受を介して軸に取り付ける配置を選択することもできる。湾曲した軸の構成の場合、軸を２０°ないし１８０°の角度範囲に延長させ、好ましくは約９０°の角度範囲とし、従って軸に取り付けられた車輪は、好都合に中央の優先位置から両側に約４５°、軸の延長方向に沿って移動することができる。この場合軸の自由長さを車輪の幅の２倍以上とすると好都合で、更にこの自由長さを車輪の幅の２０倍に相当するまでとする。結局自由長さは車輪幅の約６倍が好ましい。
掃除機の附属器具は走行ローラによって簡単な方法で操縦できる。選定した走行ローラの構成によって、部品および床の間の操縦時の摩擦力が最小限に低減されるので、使用者はこれによって部品のすべり移動が楽になる。操縦力の影響に対応して、車輪は軸に沿って移動し、家具または器具の部品の力が作用する点との共同作業によって自動的に操縦が行われる。１つの車輪の軸へ取り付けと並んで、多くの車輪が隣り合って軸に取り付けられる配置も考えられる。普通の進行方向の前方の範囲を操縦できるように形成した部品が得られる。後方に配置された支持ローラは直線移動の安定化に役立つ。床ノズルは器具の柄によって移動し、この場合使用者が床ノズルを器具の柄によって前方に押すと好都合である。操縦の際の摩擦力を低減するため、本発明による解決策は、優先方向すなわち滑り方向の床ノズル部分の前方に、本発明による軸上を移動する車輪を有する操縦ローラを使用する。好ましい構成において、２つの支持ローラが軸方向に互いに離れて設けられ、移動する車輪を有する２つの走行ローラが同様な方法で互いに離れて設けられ、支持ローラおよび走行ローラは進行方向に離れている。このように構成により、２つの支持ローラおよび２つの操縦ローラから形成される家具または器具の部品の４点支持が得られ、すでに述べたように操縦ローラは、家具または器具の部品の正面側の範囲の優先進行方向に配置し、支持ローラの範囲の部品に加わる力または操縦力の影響は支持ローラの範囲、さらに互いに離れて配置された支持ローラの間に加わることが好ましい。延長方向に湾曲した軸に取り付けられた走行ローラの優先位置は、両側からばねにより押し付けられる軸上の車輪が自動的に見出すことができる。普通の進行方向は例えば掃除機では前方で、使用者は掃除機を床ノズルとともに前方に押し出す。
以下本発明を、多くの実施例のみを描写した添付図面によって詳細に説明する。
操縦性の優れた家具、器具または掃除機附属器具の走行ローラが得られる。
【国際調査報告】
2007520294.tif 000014
2007520294.tif 000015
2007520294.tif 000016
2007520294.tif 000017